(57)【要約】【課題】ラックの前面側で仕切の変更作業ができ、側面開口の上下のガイド部材とラック連結部の仕切板の必要枚数を減らして部品点数を削減することができるラックを提供する。【解決手段】ラック１は、天板２及び底板の左右両端縁を張設してレール部２ａが形成され、左右側面板４に複数のレール８が固着される。複数のラック１を連結した際にレール部２ａやレール８と側面板４とで形成する空間に仕切板９を挿抜可能に設ける。仕切板９の挿入口は左側のラック１の扉５の閉塞端と右側のラック１の扉５の開放端とで覆われる。仕切板９を取り外すには右側のラック１の扉５を開放し、左側のラック１の扉５を取り外して行う。【選択図】        図４
2004158723.tif 000002
【特許請求の範囲】
【請求項１】
左右方向に連結して使用され、左右側面に開口を有するラックにおいて、該ラックの天板及び底板の左右両端縁を張設してレール部を設け、前記ラックを連結した際に左右のラックの前記レール部と左右側面板とで形成する空間に仕切板を挿抜可能に設け、該仕切板の挿入口を一方のラックの扉の開放端と他方のラックの扉の閉塞端とで閉塞し、前記一方のラックの扉を開放すると共に前記他方のラックの扉を取り外した状態で前記仕切板を取り出し可能にしたことを特徴とするラック。
【請求項２】
前記ラックの左右側面に少なくとも一以上のレールを設け、左右側面を分割して仕切可能にしたことを特徴とする請求項１に記載のラック。
【請求項３】
前記ラックの連結をしない左右側面の開口をパネルで閉塞し、該パネルの固定部を前記扉の端部で操作不可能に閉塞したことを特徴とする請求項１又は請求項２に記載のラック。
【請求項４】
前記仕切板の挿入口の左右両側に被覆板を固定手段により夫々固定して該被覆板で前記仕切板の挿入口を半分ずつ被覆し、該被覆板の固定部を操作不可能に一方のラックの扉の開放端と他方のラックの扉の閉塞端とで閉塞し、前記一方のラックの扉を開放して前記一方の被覆板を取り外すと共に前記他方のラックの扉を取り外して前記他方の被覆板を取り外した状態で前記仕切板を取り出し可能にしたことを特徴とする請求項１乃至請求項３の何れかに記載のラック。
【請求項５】
前記パネルの固定手段と前記被覆板の固定手段とを共用したことを特徴とする請求項４に記載のラック。
【発明の詳細な説明】
【０００１】
【発明の属する技術分野】
本発明は、例えばデータセンター等に設置され、複数台を連結して使用するラックに関する。
【０００２】
【従来の技術】
従来、データセンター等に設置されるラックは、例えば、特開２００２−２３２１６８号公報に開示されるように、複数台連結して設置され、利用者に応じてラックの使用スペースが変更可能になっている。即ち、このラック（１ａ〜１ｄ）は、ラック間を着脱可能な仕切板（２０，２１）によって分割し、容易に使用スペースの変更を可能にしている。詳しくは、左右側面の開口の上下に設けられたガイド部材（２２，２３，２４）に沿って仕切板（２０，２１）がスライド自在に設けられ、ラックの前後を閉塞する扉（３）は端部が仕切板（２０，２１）の引き出し方向に位置するように設けられ、扉（３）を開放した状態で仕切板（２０，２１）が取り出せるようになっている。
【０００３】
【発明が解決しようとする課題】
しかしながら、従来のラックは左側の仕切板を取り外す場合は前面の扉を開放し、右側の仕切板を取り外す場合はラックの裏側に回り込み、背面の扉を開放して行わなければならないという欠点があった。また、側面の開口の上下にガイド部材を別個に取り付けなければならず、更に仕切板は各側面に設けられ、このため連結部では２枚の仕切板が使用されるので部品点数が多いという欠点があった。
【０００４】
そこで上記問題点に鑑み、本発明の目的は、ラックの前面側で仕切の変更作業ができ、側面開口の上下のガイド部材とラック連結部の仕切板の必要枚数を減らして部品点数を削減することができるラックを提供することである。
【０００５】
【課題を解決するための手段】
上記目的を達成するために、請求項１に記載の発明によれば、左右方向に連結して使用され、左右側面に開口を有するラックにおいて、ラックの天板及び底板の左右両端縁を張設してレール部を設け、ラックを連結した際に左右のラックのレール部と左右側面板とで形成する空間に仕切板を挿抜可能に設け、仕切板の挿入口を一方のラックの扉の開放端と他方のラックの扉の閉塞端とで閉塞し、一方のラックの扉を開放すると共に他方のラックの扉を取り外した状態で仕切板を取り出し可能にしたことを特徴とする。
【０００６】
請求項２に記載の発明によれば、請求項１に記載のラックにおいて、ラックの左右側面に少なくとも一以上のレールを設け、左右側面を分割して仕切可能にしたことを特徴とする。
【０００７】
請求項３に記載の発明によれば、請求項１又は請求項２に記載のラックにおいて、ラックの連結をしない左右側面の開口をパネルで閉塞し、パネルの固定部を扉の端部で操作不可能に閉塞したことを特徴とする。
【０００８】
請求項４に記載の発明によれば、請求項１乃至請求項３の何れかに記載のラックにおいて、仕切板の挿入口の左右両側に被覆板を固定手段により夫々固定して被覆板で仕切板の挿入口を半分ずつ被覆し、被覆板の固定部を操作不可能に一方のラックの扉の開放端と他方のラックの扉の閉塞端とで閉塞し、一方のラックの扉を開放して一方の被覆板を取り外すと共に他方のラックの扉を取り外して他方の被覆板を取り外した状態で仕切板を取り出し可能にしたことを特徴とする。
【０００９】
請求項５に記載の発明によれば、請求項４に記載のラックにおいて、パネルの固定手段と被覆板の固定手段とを共用したことを特徴とする。
【００１０】
【発明の実施の形態】
請求項１に記載の発明によれば、左右方向に連結して使用され、左右側面に開口を有するラックにおいて、ラックの天板及び底板の左右両端縁を張設してレール部を設け、ラックを連結した際に左右のラックのレール部と左右側面板とで形成する空間に仕切板を挿抜可能に設け、仕切板の挿入口を一方のラックの扉の開放端と他方のラックの扉の閉塞端とで閉塞し、一方のラックの扉を開放すると共に他方のラックの扉を取り外した状態で仕切板を取り出し可能にしたことにより、ラックの前面側で仕切の変更作業ができ、側面開口の上下のガイド部とラック連結部の仕切板の必要枚数を減らして部品点数を削減することができる。
【００１１】
請求項２に記載の発明によれば、請求項１に記載のラックにおいて、ラックの左右側面に少なくとも一以上のレールを設け、左右側面を分割して仕切可能にしたことにより、ラックの内部を複数段に仕切った際の使い勝手を向上することができる。
【００１２】
請求項３に記載の発明によれば、請求項１又は請求項２に記載のラックにおいて、ラックの連結をしない左右側面の開口をパネルで閉塞し、パネルの固定部を扉の端部で操作不可能に閉塞したことにより、外部からパネルを取り外されることがない。
【００１３】
請求項４に記載の発明によれば、請求項１乃至請求項３の何れかに記載のラックにおいて、仕切板の挿入口の左右両側に被覆板を固定手段により夫々固定して被覆板で仕切板の挿入口を半分ずつ被覆し、被覆板の固定部を操作不可能に一方のラックの扉の開放端と他方のラックの扉の閉塞端とで閉塞し、一方のラックの扉を開放して一方の被覆板を取り外すと共に他方のラックの扉を取り外して他方の被覆板を取り外した状態で仕切板を取り出し可能にしたことにより、仕切板のガタツキを防止することができる。
【００１４】
請求項５に記載の発明によれば、請求項４に記載のラックにおいて、パネルの固定手段と被覆板の固定手段とを共用したことにより、部品点数を削減することができる。
【００１５】
【実施例】
本発明に係るラックの第１実施例を図１〜図５の添付図面に基づいて説明する。
【００１６】
ラック１は、天板２と底板３とを左右側面板４で連結して支持し、前面及び背面は各４枚の扉５が開閉自在に蝶着され、ラック内部には空間を４分割するために３枚の棚板６が設けられ、各段の四隅近傍には機器を取り付けるためのマウントアングル７が垂設されている。左右側面板４はラック１を連結した際にラック間を配線するための開口４ａが形成されている。
【００１７】
天板２及び底板３は左右両端縁が張設されて左右側面板４より突出したレール部２ａ，３ａが形成されている。また、左右側面板４に断面略コ字状のレール８が棚板６と同一高さ位置に開口側を側面板４に当接させて溶接等により水平に取り付けられている。
【００１８】
複数のラック１を連結するにはラック１の天板２と底板３のレール部２ａ，３ａの先端同士を突き合わせ、この先端面に穿設された挿通孔２ｂ，３ｂにボルト（図示せず）を挿通させてナット（図示せず）で締着することにより行い、連結したラック１のレール部２ａ，３ａやレール８と左右側面板４とで形成される空間に仕切板９が挿抜可能に設けられている。仕切板９の挿入口は図４の２点鎖線で示す右側のラック１の扉５の開放端と、左側のラック１の扉５の閉塞端とで被覆して仕切板９が取り出せないようになっている。
【００１９】
連結されたラック１の仕切板９を取り外すには、右側のラック１の扉５を開放し、また、左側のラック１の扉５を取り外し、仕切板９を手前に引き抜いて行う。尚、扉５は右側面板４の前端に設けられた軸受け１２に扉５の右端に設けられた蝶番ピン（図示せず）を上方から挿入させているだけなので、扉５を上方に持ち上げて軸受け１２から蝶番ピンを引き抜くだけで簡単に扉５を取り外すことができる。
【００２０】
また、ラック１の連結をしない左右側面はパネル１３が取り付けられ、開口４ａを閉塞する。パネル１３は左右両端が折曲形成され、この折曲部をラック１の前面及び背面からネジ１１で螺着して固定される。ネジ１１は扉５の端部で操作不可能に閉塞されるため、ネジ１１でパネル１３を螺着する際は仕切板９を取り外す場合と同様に扉５を開放又は取り外して行う。
【００２１】
本発明に係るラックの第２実施例を図６〜図１０の添付図面に基づいて説明する。
【００２２】
ラック２１は、天板２２と底板２３とを左右側面板２４で連結して支持し、前面及び背面は各４枚の扉２５が開閉自在に蝶着され、ラック内部には空間を４分割するために３枚の棚板２６が設けられ、各段の四隅近傍には機器を取り付けるためのマウントアングル２７が垂設されている。左右側面板２４はラック２１を連結した際にラック間を配線するための開口２４ａが形成されている。
【００２３】
天板２２及び底板２３は左右両端縁が張設されて左右側面板２４より突出したレール部２２ａ，２３ａが形成されている。また、左右側面板２４に断面略コ字状のレール２８が棚板２６と同一高さ位置に開口側を側面板２４に当接させて溶接等により水平に取り付けられている。
【００２４】
複数のラック２１を連結するにはラック２１の天板２２と底板２３のレール部２２ａ，２３ａの先端同士を突き合わせ、この先端面に穿設された挿通孔２２ｂ，２３ｂにボルト（図示せず）を挿通させてナット（図示せず）で締着することにより行い、連結したラック２１のレール部２２ａ，２３ａやレール２８と左右側面板２４とで形成される空間に仕切板２９が挿抜可能に設けられている。
【００２５】
仕切板２９の挿入口の左右両側にはネジ孔２４ｂが穿設され、ネジ孔２４ｂに被覆板３０がネジ３１で夫々螺着され、２枚の被覆板３０で挿入口の半分ずつを被覆して仕切板２９が前後にスライドしないよう規制している。被覆板３０はネジ３１の挿通孔３０ａが長孔形状に形成されているため、ネジ３１を緩めることにより被覆板３０を左右にスライドさせることができ、挿入口を開閉することができる。また、ネジ３１は扉２５の端部で覆われ、扉２５が閉塞している際はネジ３１の操作が不可能になっている。
【００２６】
連結されたラック２１の仕切板２９を取り外すには、まず、右側のラック２１の扉２５を開放し、また左側のラック２１の扉５を取り外す。扉２５は右側面板２４の前端に設けられた軸受け３２に扉２５の右端に設けられた蝶番ピン（図示せず）を上方から挿入させているだけなので、扉２５を上方に持ち上げて軸受け３２から蝶番ピンを引き抜くだけで簡単に扉２５を取り外すことができる。
【００２７】
そうすると、左右両側の被覆板３０のネジ３１が操作できるのでネジ３１を緩め、被覆板３０をスライドさせて挿入口を開放させる。こうして仕切板２９は手前に引き抜いて取り外すことができる。
【００２８】
また、ラック２１の連結をしない左右側面はパネル３３が取り付けられ、開口２４ａを閉塞する。パネル３３が取り付けられる側面は被覆板３０が取り外され、パネル３３は被覆板３０を螺着していたネジ孔２４ｂにネジ３１により螺着固定される。
【００２９】
尚、本実施例においてラックの扉は右開きであるが左開きでも良いし、また、ラックの内部に３枚の棚板を設けて４分割し、左右側面板に３本のレールを設けて４枚の仕切板で左右側面板の仕切りを４つにし、４枚の扉を設けたが、例えば、棚板やレールを設けなかったり、図１１に示すように棚板は１枚を設けてラック内部を２分割し、レールは３本を設けて左右側面板の仕切りを４つにし、２枚の扉を設ける等、ラックの構造について本発明の趣旨を逸脱しない範囲で適宜変更可能である。
【００３０】
【発明の効果】
以上説明したように、請求項１に記載の発明によれば、左右方向に連結して使用され、左右側面に開口を有するラックにおいて、ラックの天板及び底板の左右両端縁を張設してレール部を設け、ラックを連結した際に左右のラックのレール部と左右側面板とで形成する空間に仕切板を挿抜可能に設け、仕切板の挿入口を一方のラックの扉の開放端と他方のラックの扉の閉塞端とで閉塞し、一方のラックの扉を開放すると共に他方のラックの扉を取り外した状態で仕切板を取り出し可能にしたことにより、ラックの前面側だけで仕切の変更作業ができ、側面開口の上下のガイド部を別個に設ける必要がなく、セキュリティ性を損なわずにラック連結部の仕切板の必要枚数を減らして部品点数を削減することができるという効果がある。
【００３１】
請求項２に記載の発明によれば、請求項１に記載のラックにおいて、ラックの左右側面に少なくとも一以上のレールを設け、左右側面を分割して仕切可能にしたことにより、ラックの内部を複数段に仕切った際の使い勝手を向上することができるという効果がある。
【００３２】
請求項３に記載の発明によれば、請求項１又は請求項２に記載のラックにおいて、ラックの連結をしない左右側面の開口をパネルで閉塞し、パネルの固定部を扉の端部で操作不可能に閉塞したことにより、外部からパネルを取り外されることがないという効果がある。
【００３３】
請求項４に記載の発明によれば、請求項１乃至請求項３の何れかに記載のラックにおいて、仕切板の挿入口の左右両側に被覆板を固定手段により夫々固定して被覆板で仕切板の挿入口を半分ずつ被覆し、被覆板の固定部を操作不可能に一方のラックの扉の開放端と他方のラックの扉の閉塞端とで閉塞し、一方のラックの扉を開放して一方の被覆板を取り外すと共に他方のラックの扉を取り外して他方の被覆板を取り外した状態で仕切板を取り出し可能にしたことにより、仕切板のガタツキを防止することができるという効果がある。
【図面の簡単な説明】
【図１】本発明の第１実施例に係るラックの扉を取り外した状態の斜視図である。
【図２】図１のラックの天板のレール部の拡大図である。
【図３】図１のラックを２台連結した様子を示す斜視図である。
【図４】図３のラックの扉を外した状態の連結部分を示す拡大図であり、上段は仕切板が設けられ、下段は仕切板が取り外されている。
【図５】図３のラックから仕切板を取り外す様子を示す斜視図である。
【図６】本発明の第２実施例に係るラックの扉を取り外した状態の斜視図である。
【図７】図６のラックの天板のレール部の拡大図である。
【図８】図６のラックを２台連結した様子を示す斜視図である。
【図９】図８ラックの扉を外した状態の連結部分を示す拡大図であり、上段は被覆板が開放し、下段は被覆板が閉塞している。
【図１０】図８の連結したラックから仕切板を取り外す様子を示す斜視図である。
【図１１】変形実施例を示す斜視図である。
【符号の説明】
１…ラック
２…天板
２ａ…レール部
３…底板
３ａ…レール部
４…側面板
４ａ…開口
８…レール
９…仕切板
【図１】
2004158723.tif 000003
【図２】
2004158723.tif 000004
【図３】
2004158723.tif 000005
【図４】
2004158723.tif 000006
【図５】
2004158723.tif 000007
【図６】
2004158723.tif 000008
【図７】
2004158723.tif 000009
【図８】
2004158723.tif 000010
【図９】
2004158723.tif 000011
【図１０】
2004158723.tif 000012
【図１１】
2004158723.tif 000013